(57)【要約】【課題】  グローブボックス等の収納体の内側に不要な突出物が存在しないロック装置の提供。【解決手段】  支持体に開閉可能に取り付けられた収納体のドアを、閉状態で支持体にロックすると共に、ロックを解除するロック装置において、該ドアの端縁に取り付けられるケース１と、該ケース１に摺動可能に支持されて支持体と係脱するロック体３と、該ロック体３を支持体方向に常時付勢する第１付勢部材４と、上記ドアの端縁側から遠い部位でケース１に回動可能に軸支されてドアの端縁側に近い部位で支持体側からドア側に回動してロックを解除する操作ハンドル２と、該操作ハンドル２の回動でロック体３を第１付勢部材４に抗して摺動させるレバー機構５・７とを有し、支持体は、操作ハンドル２と対応する位置を窪ませて、操作ハンドル２との間に操作空間を有することにより、従来のような陥没状の収納部を不要とする。【選択図】          図１
2005009301.tif 000002
【特許請求の範囲】
【請求項１】
支持体に開閉可能に取り付けられた収納体のドアを、閉状態で支持体にロックすると共に、ロックを解除するロック装置において、該ドアの端縁に取り付けられるケースと、該ケースに摺動可能に支持されて支持体と係脱するロック体と、該ロック体を支持体方向に常時付勢する第１付勢部材と、上記ドアの端縁側から遠い部位でケースに回動可能に軸支されてドアの端縁側に近い部位で支持体側からドア側に回動してロックを解除する操作ハンドルと、該操作ハンドルの回動でロック体を第１付勢部材に抗して摺動させるレバー機構とを有し、支持体は、操作ハンドルと対応する位置を窪ませて、操作ハンドルとの間に操作空間を有することを特徴とするロック装置。
【請求項２】
レバー機構は、リンク部材とレバー部材とから成り、各々がケースに回動可能に軸支され、リンク部材とレバー部材を摺接状態と非摺接状態に切り替え可能であることを特徴とする請求項１記載のロック装置。
【請求項３】
ロック体が常時付勢される側に、リンク部材の先端部を付勢する第２付勢部材を有することを特徴とする請求項２記載のロック装置。
【請求項４】
ロック体はレバー部材と摺接する係合部を備え、レバー部材がリンク部材の先端部と係合部との間に挾まれて摺接する三者摺接部を有することを特徴とする請求項２乃至請求項３のいずれかに記載のロック装置。
【請求項５】
偏心軸を備えて摺接状態と非摺接状態を切り替えるキーシリンダ錠を有し、レバー部材は、その軸支位置と三者摺接部との間で偏心軸と連結することを特徴とする請求項２乃至請求項４のいずれかに記載のロック装置。
【請求項６】
操作ハンドルは、その軸支位置と側部との間に作動爪を備え、リンク部材は、その軸支位置を挾んで三者摺接部と反対側に作動爪が係合する連結孔を備えることを特徴とする請求項２乃至請求項５のいずれかに記載のロック装置。
【発明の詳細な説明】
【技術分野】
【０００１】
本発明は、例えば、自動車のインストルメントパネルに開閉可能に取り付けられるグローブボックスそれ自体又はその独立したドアをロックするロック装置に関するものである。
【背景技術】
【０００２】
従来のこの種ロック装置は、具体的には図示しないが、グローブボックスドアの中央部に陥没状の収納部を一体に形成して、該陥没状の収納部内にインストルメントパネル側に設けられたストライカと係脱するロック体を昇降動可能に支持して、該ロック体を付勢ばね圧で上方に弾発付勢する一方、陥没状の収納部の両側壁に操作ハンドルを回動可能に軸支して、該操作ハンドルの先端側にロック体の係合部に係合する係合アームを連設する構成となっている（例えば、特許文献１参照）。
【０００３】
そして、実際の使用に際して、グローブボックスが閉塞位置にある時には、ロック体が付勢ばね圧で上昇して、当該ロック体の先端部が上記ストライカに係合することとなるので、これにより、グローブボックスが閉塞位置にロックされ、逆に、このロックを解除する場合には、上記収納部の下部に大きく画成される操作空間内に指を入れて、操作ハンドルを下から上へと回動操作すると、今度は、操作ハンドルの係合アームがロック体の係合部に係合して、ロック体を付勢ばね圧に抗して下降させるので、これにより、ロック体とストライカの係合状態が解除されて、グローブボックスが開放方向へ移動することが許容される。
【特許文献１】特開２０００−２７２４２９号公報
【発明の開示】
【発明が解決しようとする課題】
【０００４】
従って、従来のロック装置にあっては、一応、グローブボックスのロック及びロック解除が簡単にできる利点を有するものではあるが、操作ハンドルを下から上へと回動させる関係で、操作ハンドルとグローブドアの間に指を入れる操作空間を画成しなければならないので、グローブドアに陥没状の収納部を一体に形成している訳であるが、この収納部はグローブボックスの内側に大きく突出するため、小物類をグローブボックス内に出し入れする際の障害となったり、グローブボックスの有効スペースを制限する恐れを有していた。
【課題を解決するための手段】
【０００５】
本発明は、斯かる従来のロック装置が抱える課題を有効に解決するために開発されたもので、請求項１記載の発明は、支持体に開閉可能に取り付けられた収納体のドアを、閉状態で支持体にロックすると共に、ロックを解除するロック装置において、該ドアの端縁に取り付けられるケースと、該ケースに摺動可能に支持されて支持体と係脱するロック体と、該ロック体を支持体方向に常時付勢する第１付勢部材と、上記ドアの端縁側から遠い部位でケースに回動可能に軸支されてドアの端縁側に近い部位で支持体側からドア側に回動してロックを解除する操作ハンドルと、該操作ハンドルの回動でロック体を第１付勢部材に抗して摺動させるレバー機構とを有し、支持体は、操作ハンドルと対応する位置を窪ませて、操作ハンドルとの間に操作空間を有することを特徴とする。
【０００６】
請求項２記載の発明は、請求項１を前提として、レバー機構は、リンク部材とレバー部材とから成り、各々がケースに回動可能に軸支され、リンク部材とレバー部材を摺接状態と非摺接状態に切り替え可能であることを特徴とする。
【０００７】
請求項３記載の発明は、請求項２を前提として、ロック体が常時付勢される側に、リンク部材の先端部を付勢する第２付勢部材を有することを特徴とする。
【０００８】
請求項４記載の発明は、請求項２乃至請求項３を前提として、ロック体はレバー部材と摺接する係合部を備え、レバー部材がリンク部材の先端部と係合部との間に挾まれて摺接する三者摺接部を有することを特徴とする。
【０００９】
請求項５記載の発明は、請求項２乃至請求項４を前提として、偏心軸を備えて摺接状態と非摺接状態を切り替えるキーシリンダ錠を有し、レバー部材は、その軸支位置と三者摺接部との間で偏心軸と連結することを特徴とする。
【００１０】
請求項６記載の発明は、請求項２乃至請求項５を前提として、操作ハンドルは、その軸支位置と側部との間に作動爪を備え、リンク部材は、その軸支位置を挾んで三者摺接部と反対側に作動爪が係合する連結孔を備えることを特徴とする。
【発明の効果】
【００１１】
依って、請求項１記載の発明にあっては、収納体のドアの上端縁に上から下へと回動する操作ハンドルを軸支し、支持体の操作ハンドルと対応する箇所に指を差し入れる操作空間を画成した関係で、従来のように、収納体の内側に不要に突出する部分がなくなるので、小物類の出し入れに支障をきたす心配がなくなると共に、収納体の内部スペースを有効に利用することが可能となる。
【００１２】
請求項２記載の発明にあっては、レバー機構を構成するリンク部材とレバー部材が摺接状態と非摺接状態に切り替わる関係で、キーシリンダ錠を有するロック装置に対しても、キーシリンダ錠を有しないロック装置に対しても、実施応用できるので、頗る合理的となる。請求項３記載の発明にあっては、ロック体が常時付勢される側に、リンク部材の先端部を付勢する第２付勢部材を設けた関係で、操作ハンドルのガタツキを有効に防止できる。請求項４記載の発明にあっては、リンク部材の先端部とレバー部材の先端部とロック体の係合部を上から順に配置する関係で、三者の摺接部を薄くして、装置自体の小型化が図れる。
【００１３】
請求項５記載の発明にあっては、レバー部材はその軸支位置と三者摺接部との間でキーシリンダ錠の偏心軸と連結する関係で、レバー部材が回動する時のガイドを兼ねられるので、円滑な動作が保障できる。請求項６記載の発明にあっては、操作ハンドルの軸支位置と側部の間に存する作動爪がリンク部材の軸支位置を挾んで三者摺接部と反対側に存する連結孔に係合する関係で、操作ハンドルの操作角度が鈍感となって、ロック体の移動量が小さくなると共に、作動爪とロック体の距離を大きくできるので、操作力も小さくなる。
【発明を実施するための最良の形態】
【００１４】
本発明に係るロック装置は、収納体のドアの上端縁に上から下へと回動する操作ハンドルを軸支し、支持体の操作ハンドルと対応する箇所に指を差し入れる操作空間を画成することにより、従来のように、収納体の内側に不要に突出する部分をなくして、小物類の出し入れに支障をきたす心配をなくすると共に、収納体の内部スペースの有効利用を可能となしたものである。
【実施例】
【００１５】
以下、本発明を図示する好適な実施例に基づいて詳述すれば、該実施例に係るロック装置も、図１３に示す如く、自動車のインストルメントパネルＰに開閉可能に取り付けられるグローブボックスＢを対象として開発されたもので、その特徴とするところは、収納体たるグローブボックスＢのグローブドアＢａの上端縁に上から下へ回動する操作ハンドル２を設け、支持体たるインストルメントパネルＰの操作ハンドル２と対応する箇所を窪ませて、そこに指を差し入れる操作空間３１を画成し、当該操作空間３１を利用して、操作ハンドル２を上から下へ回動操作することにより、グローブボックスＢのロックを解除できるようにしたものである。従って、指を差し入れる操作空間３１をグローブボックスＢ側に設ける必要がなくなり、グローブボックスＢの内側に突出する部分をなくすることができるので、小物類をグローブボックスＢから出し入れする際に障害となるものをなくすことができる。又、突出する部分の存在によって発生していたグローブボックスＢ内部のデッドスペースをなくすこともできることとなる。
【００１６】
そこで、これを具体的に説明すると、本実施例に係るロック装置は、図１に示す如く、図１３に示したグローブドアＢａ側の上端縁中央部に裏側からネジ止めされるケース１と、該ケース１に上から下へ回動するように軸支される操作ハンドル２と、ケース１に昇降動可能に支持されてインストルメントパネルＰ側に設けられたストライカ３２（図１３参照）と係脱するロック体３と、該ロック体３をストライカ３２と係合する方向に付勢する第１付勢部材たる圧縮コイルばね４と、ケース１に回動可能に軸支されて操作ハンドル２の回動操作で回動するリンク部材５と、該リンク部材５の先端部５ｂをケース１の上方に付勢する第２付勢部材たる捻じりコイルばね６と、ケース１に回動可能に軸支されてリンク部材５の先端部５ｂの回動に応じてロック体３を圧縮コイルばね４の付勢ばね圧に抗して下降させるレバー部材７とを備える構成になっている。尚。このレバー部材７と上記リンク部材５とで、操作ハンドル２とロック体３を連結するレバー機構を構成するものとする。
【００１７】
又、レバー部材７の先端部７ｂの上面とリンク部材５の先端部５ｂとを摺接させ、レバー部材７の先端部７ｂの下面とロック体３の係合部１９（図３参照）の上面とを摺接させることで、リンク部材５を介して操作ハンドル２からの力をレバー部材７とロック体３に伝達する三者摺接部が構成される。この三者摺接部では、リンク部材５を介して操作ハンドル２からの力をレバー部材７とロック体３に一箇所で同時に伝達する。伝達できる力の大きさは、各部材が摺接する部分の面積に比例するので、ある程度の面積が必要になる。リンク部材５とレバー部材７とロック体３の係合部１９を積層状態で摺接させる構成とすることにより、二つの摺接部を一箇所に集約できるので、装置自体の小型が可能となり、メンテナンスも容易となる。
【００１８】
そして、ケース１は、図２にも示す如く、その中央部に上記ロック体３と圧縮コイルばね４を支持する収納室８を形成すると共に、該収納室８の上部に上記ストライカ３２を受け入れる一対の横Ｕ字状を呈する受け壁９を形成する一方、該受け壁９の側部にキーシリンダ錠を内部に装着できる構造の円筒壁１０を一体に連設して、該円筒壁１０の底部裏面側に、レバー部材７の回動支点となる第１軸１１と、回動を案内する第２軸１２とを形成すると共に、収納室８の表面側両側に、後述する操作ハンドル２の各軸受部１６と嵌合する一対の軸部１３を形成し、且つ、上記円筒壁１０の反対側の表面下部にリンク部材５の回動支点となる第３軸１４を形成する構成となっている。尚、上記収納室８の表面側は全域を開放して、該開放口１５を利用することにより、後述するロック体３の係合部１９の移動を可能となしている。
【００１９】
又、ケース１は、その表側に操作ハンドル２を備えて、その裏側でグローブドアＢａに固定され、その上側からロック体３が出没する。収納室８は、ケース１の上側から下側に向けて開設された角形状の有底孔であり、ロック体３が上下に摺動する時に案内となるガイド溝を上下方向に備え、底部に圧縮コイルばね４の一端を支える面と圧縮コイルばね４の内側に挿入されてその伸縮時の案内となる突起を有する。受け壁９は、横Ｕ字状を呈して横方向に開口を備えており、開口を塞ぐようにロック体３を下方から受け入れて、受け壁９とロック体３の協働によって空間を画成する構成となっている。
【００２０】
円筒壁１０は、ケース１の表側から裏側に向かって形成され、その内側に後述するキーシリンダ錠３４の外形と略同一寸法・同一形状の凹部を有する。この凹部の底面はケース１の裏側にあり、凹部の底面からケース１の裏側に向けて円筒壁１０の軸線方向に突出する第１軸１１と第２軸１２は、間隔をあけて略水平に並んでおり、第１軸１１の先端がＬ字状を呈して，装着後のレバー部材７の脱落を防止し、第２軸１２は第１軸１１よりも短い円柱状の突起で、後述するキーシリンダ錠３４の偏心軸３５と略同一寸法・同一形状を呈している。二つの軸部１３は、ケース１の表側にあり、ロック体３の摺動中心軸を挾んで間隔をおいて略水平に並んでいる。
【００２１】
第３軸１４は、ケース１の表側で、ロック体３の摺動中心軸を挾んで円筒壁１０と反対側にあり、第３軸１４の中心と三者摺接部と円筒壁１０の凹部の底面中心が略一線上に並んでいる。第３軸１４とケース１の間には、捻じりコイルばね６が巻きつけられる円筒部分があり、この円筒部分は、第３軸１４と同心で外形が第３軸１４より大きい。円筒部分の根元には輪環状の溝があり、巻きつけられた捻じりコイルばね６の一部が収納される。溝には、捻じりコイルばね６の一端を引っ掛けるために、外壁の一部を切り欠いた切欠部が設けてある。
【００２２】
更に、上記した収納室８は、その下部において、ケース１の表側に開放口１５を有しており、該収納室８と円筒壁１０の間には、ケース１の表側から裏側へ貫通する開口があり、この開口を通ってレバー部材７が配置されるので、レバー部材７の一端はケース１の表側に、他端はケース１の裏側に存在する。
【００２３】
操作ハンドル２は、その裏面下部側に上記軸部１３を嵌合する一対の軸受部１６を形成すると共に、一端部に後述するリンク部材５の連結孔２１に係合する作動爪１７を裏面方向に突出する状態をもって形成すると共に、裏面上部に安全板１８をその巾域に沿って連続して形成する構成となっている。又、操作ハンドル２は、ケース１と対向する裏面と意匠面となる表面を有し、二つの軸部１３と円筒壁１０内側の凹部開口を覆い、ケース１の上面を超えて延長されている。一対の軸受部１６は、二つの軸部１３と嵌合する位置で、操作ハンドル２の下部に突設されている。作動爪１７は、一対の軸受部１６と操作ハンドル２の意匠面の輪郭を構成する側部との間に突設され、その先端は鉤状となし、該鉤状の先端は軸受部１６を超えてケース１側に延設されると共に、軸受部１６を超えてケース１の下側にも伸びている。又、作動爪１７の先端の鉤状部分内側には隅肉を有するので、作動爪１７が後述するリンク部材５の連結孔２１の孔縁に係合して摺動する際には、その摺動動作を円滑に行うことができる。
【００２４】
更に、操作ハンドル２の意匠面の輪郭を構成する上側部と安全板１８との間には、操作者が指を引っ掛ける突条がある。従って、この操作ハンドル２の裏面の上縁に沿って設けられた突条によって、引っ掛けられた操作者の指が滑って外れることはない。安全板１８がロック装置の上部を覆っているので、操作者が指を引っ掛けても、その指は安全板１８を越えてロック装置の他の部分に接触することはない。又、重力によって、異物等がロック装置の上面から侵入したり、指に付着した異物がロック装置に侵入することを防止できる。
【００２５】
ロック体３は、図３にも示す如く、既述したように、圧縮コイルばね４の付勢ばね圧でストライカ３２と係合する方向に付勢されるものであるが、その表面側の下部に上記収納室８の開放口１５から外方に臨む係合部１９を一体に形成して、操作ハンドル２の回動操作で、リンク部材５を回動させて、レバー部材７の先端部７ｂで当該係合部１９を押圧することにより、ロック体３を下降させて、ストライカ３２との係合が解除される構成となっている。又、ロック体３は、ケース１側の収納室８の孔形状と略同一断面形状をもった柱状を呈し、長手方向の上端に斜面３ａを形成し、下端に係合部１９を形成すると共に、長手方向に収納室８のガイド溝と嵌合する突起を備えている。
【００２６】
レバー機構を構成するリンク部材５は、図４にも示す如く、その三角形状を呈する基板５ａに上記第３軸１４を嵌入する第３嵌入孔２０を形成すると共に、その側方に上記操作ハンドル２の作動爪１７を係合する連結孔２１を形成する一方、先端部５ｂを嘴状に延長させて、その先端部下面２２をガイド片２３を介して後述するレバー部材７の先端厚肉部２８の上面に摺接させる構成となっている。尚、リンク部材５を第３軸１４に軸支する場合には、上記捻じりコイルばね６を同時に装着して、先端部５ｂをケース１の上方に付勢するものとする。従って、リンク部材５は常時反時計方向に回動しようとするので、これにより、リンク部材５の連結孔２１に作動爪１７を係合する操作ハンドル２は不用意にガタツクことがない。又、ガイドピン２４は、ケース１との対向面に摺接して、リンク部材５の回動を案内するものである。
【００２７】
上記連結孔２１の上縁は、通常位置において水平となる直線部分であり、操作ハンドル２と対向する面側には面取りが施されている。操作ハンドル２の作動爪１７の隅肉部分は、この上縁の面取り部分と摺接する。第３嵌入孔２０は、基板５ａの下部に設けられ、連結孔２１は、当該第３嵌入孔２０の略水平位置に並んで設けられると共に、先端部５ｂとは第３嵌入孔２０を挾んで反対側にある。リンク部材５の基板５ａとケース１との間に捻じりコイルばね６を装着する空間を確保するため、基板５ａと先端部５ｂとの間の接続部は厚み方向に折り曲げられたクランク状を呈し、基板５ａの上部で先端部５ｂと接続する。
【００２８】
上記ガイド片２３は、レバー部材７の先端部７ｂが変形してリンク部材５との摺接部から脱落することを防止すると共に、後述するように、キーシリンダ錠３４を用いて、リンク部材５とレバー部材７を非摺接状態から摺接状態に切り替えた時に、レバー部材７の厚肉壁２８の上面がリンク部材５の先端部５ｂの下面と円滑に合致するように案内する機能をも果たす。捻じりコイルばね６は、一端を基板５ａと先端部５ｂの接続部に引っ掛け、他端をケース１に引っ掛けて、リンク部材５を反時計方向に付勢する。この捻じりコイルばね６により、リンク部材５が常時反時計方向に付勢されるので、連結孔２１の孔上縁と係合している操作ハンドル２の作動爪１７は、ケース１の下側に付勢されることとなり、操作ハンドル２の裏面がケース１の表面と当接することとなるので、操作ハンドル２は、常時ケース１に押し付けられてガタツクことがない。
【００２９】
操作ハンドル２の回動によって、作動爪１７の隅肉部分が連結孔２１の孔上縁と摺接すると、作動爪１７が基板５ａをケース１に近づく方向に押圧することとなるが、ガイドピン２４がケース１との対向面と摺接して、リンク部材５とケース１との間隔を一定に保持しているので、リンク部材５の先端部５ｂもケース１との間隔を一定に保持できる。従って、リンク部材５の先端部５ｂがレバー部材７との摺接部から脱落することがなくなり、これにより、ガイドピン２４はリンク部材５の脱落を防止することとなる。
【００３０】
同じく、レバー機構を構成するレバー部材７は、図５にも示す如く、その菱形状を呈する基板７ａに、上記ケース１の第１軸１１を嵌入する弾性片２５付の長孔状の第１嵌入孔２６と、第２軸１２を嵌入する長孔状の第２嵌入孔２７とを形成すると共に、先端部７ｂを基板７ａの一端部側から横方向に一旦折曲させてその後嘴状に延長させて、該先端部７ｂに厚肉壁２８と薄肉壁２９を連続して形成して、厚肉壁２８の上面に上記リンク部材５の先端部下面２２を摺接させる構成となっている。従って、配列的には、リンク部材５の先端部５ｂ・レバー部材７の先端部７ｂ・ロック体３の係合部１９が上から順に配置されることとなるので、この三者５ｂ・７ｂ・１９の摺接部を薄くできると共に、操作ハンドル２を回動操作すると、リンク部材５が付勢方向と逆方向、即ち、時計方向に回動すると同時に、レバー部材７を反時計方向に回動させて、ロック体３の係合部１９を圧縮コイルばね４のばね圧に抗して下降させることとなる。
【００３１】
又、レバー部材７の基板７ａと先端部７ｂとの接続部は、厚み方向に折り曲げられたクランク状を呈し、基板７ａの下部で先端部７ｂと接続している。レバー部材７をケース１に装着した際に、基板７ａと先端部７ｂの接続部がケース１の円筒壁１０と収納室８の間にあって、ケース１の表側から裏側へ貫通する開口内に配置されると、それがクランク状を呈することによって、レバー部材７の先端部７ｂはケース１の表側に配され、基板７ａはケース１の裏側に配されることとなる。レバー部材７は、三者摺接部とケース１の第２軸１２或いは後述するキーシリンダ錠３４の偏心軸３５と連結することとなるので、レバー部材７をケース１の表側に配置すると、第２軸１２が形成された円筒壁１０の凹部の底面或いは偏心軸３５を備えているキーシリンダ錠３４の後端面をケース１の表側に配置しなければならない。従って、レバー部材７がケース１の表側と裏側を結ぶ構成とすることにより、円筒壁１０やキーシリンダ錠３４をケース１の表側に突出して配置せずに、キーシリンダ錠３４をケース１の裏側に偏らせて配置することができるので、ロック装置全体を薄くすることが可能となる。
【００３２】
上記第１嵌入孔２６は、通常状態では、略水平方向に伸びて上下に並んだ二つの長孔と、二つの長孔をその端部付近で結ぶ溝とで構成され、この二つの長孔は、誤組立防止のため異なる巾で形成されている。下側の長孔の巾は、第１軸１１の直径と略同一寸法であり、上側の長孔の巾はその寸法より小さいので、第１軸１１は下側の長孔とのみ嵌合可能となっている。二つの長孔と溝で囲まれた弾性片２５は、先端がＬ字状を呈する第１軸１１を下側の長孔に円滑に挿入するために十分な弾性変形が得られる長さとなっている。弾性片２５の先端には膨らみがあり、ケース１の第１軸１１は、第１嵌入孔２６の下側の長孔と嵌合し、弾性片２５の先端の膨らみによってその長孔の端部に拘束される。
【００３３】
Ｌ字状を呈する第１軸１１の先端を第１嵌入孔２６における下側の長孔に押し込むと、弾性片２５の弾性変形によって、Ｌ字状の先端を迎え入れるように長孔の形状が変形して、第１軸１１が第１嵌入孔２６に嵌合するので、第１軸１１のＬ字状の先端により、レバー部材７の脱落が防止される。第１軸１１を第１嵌入孔２６に嵌合した後、弾性片２５を弾性変形させて、その先端の膨らみを乗り越えさせると、弾性片２５の先端の膨らみにより、第１軸１１は第１嵌入孔２６における下側の長孔の端部に弾性拘束されるので、レバー部材７はケース１に弾性拘束される。
【００３４】
第２嵌入孔２７は、レバー部材７をケース１に弾性拘束させた状態で、レバー部材７を回動させた時に、レバー部材７の案内となるようにケース１の第２軸１２と相対的に摺動する形状となっており、言うなれば、第１軸１１を中心とした弓形の長孔形状となっている。又、第２軸１２の代わりに後述するキーシリンダ錠３４の偏心軸３５が第２嵌入孔２７に嵌合している場合には、キーシリンダ錠３４にキーを挿入して回転させると、キーシリンダ錠３４の後端面に設けられている偏心軸３５は、キーの回転中心を中心点として回転運動をするので、レバー部材７を横方向に移動させることができ、レバー部材７が横方向に移動すると、第１嵌入孔２６の長孔に嵌合している第１軸１１は、当接している弾性片２５の弾性変形により先端の膨らみを乗り越えて長孔の他端側に移動する。この後は、キーの回転で偏心軸３５を強制的に戻さない限り、弾性片２５の先端の膨らみにより、第１軸１１が元の位置に戻ることはない。
【００３５】
依って、斯かる構成のロック装置を組み立てる場合には、まず、ケース１の表側に対して、リンク部材５の基板５ａに形成された第３嵌入孔２０を第３軸１４に嵌入することとなるが、この時には、同時に、捻じりコイルばね６の一端をリンク部材５の基板５ａと先端部５ｂの接続部に引っ掛け、同他端をケース１側に引っ掛けて、後は、第３軸１４の先端にプッシュオンフィックス３０を止着すれば、これにより、リンク部材５は、抜け外れることなく、その先端部５ｂを捻じりコイルばね６のばね圧で反時計方向に付勢された状態をもってケース１側に回動可能に軸支される。尚、上記プッシュオンフィックス３０は、金属製で、そのリング体の中央部に上記第３軸１４を挿通する挿通孔を形成して、該挿通孔の孔縁に第３軸１４の側面に食い込む複数の食い込み爪を立ち上げ形成する構造となっている。
【００３６】
そこで、今度は、収納室８側のガイド溝とロック体３側の突起を一致させながら、ケース１の収納室８内に圧縮コイルばね４とロック体３を挿入すると、ロック体３は圧縮コイルばね４のばね圧でケース１の上方に付勢されると共に、その係合部１９を収納室５の開放口１５から外方に臨ましめることとなるので、斯かる状態を得た後は、ケース１の円筒壁１０と収納室８の間にあって、ケース１の表側から裏側へ貫通する開口を利用して、クランク状を呈するレバー部材７の先端部７ｂをケース１の表側に導いて、ロック体３を押し下げながら、当該先端部７ｂをロック体３の係合部１９に上から摺接させる一方、ケース１の裏側に配される基板７ａに形成されている第２嵌入孔２７に第２軸１２を嵌入しながら、第１軸１１を第１嵌入孔２６に嵌入すると、弾性片２５が弾性変形して、第１軸１１が第１嵌入孔２６にスムーズに嵌合することとなるので、これにより、レバー部材７も、抜け外れることなく、ケース１側に回動可能に軸支されることとなる。尚、このレバー部材７の軸支により、ロック体３の係合部１９に当接するレバー部材７の先端部７ｂにリンク部材５の先端部５ｂが上から摺接して三者摺接部を構成することとなる。
【００３７】
次いで、最後に、操作ハンドル２の作動爪１７をリンク部材５の連結孔２１に係合させながら、操作ハンドル２をケース１の表側に押し付けて、ケース１側の軸部１３と操作ハンドル２側の軸受部１６とを嵌合させると、これにより、ケース１に操作ハンドル２が回動可能に軸支されて、図６に示す如く、ロック装置が簡単に組み立てられる。従って、後は、ケース１をグローブドアＢａの上端縁中央部にネジ止めすれば、これにより、図７に示す如く、その使用に供されることとなる。尚、この場合には、図７・図１３に示す如く、グローブボックスＢには、ロック装置の操作ハンドル２の意匠面とグローブドアＢａの意匠面とを略同一平面上に存在させる深さをもった凹部があり、当該凹部の底面には、ストライカ３２が通過できる挿通口３６がある。操作ハンドル２の意匠面とグローブドアＢａの意匠面を略同一平面上に配置しているので、ロック装置自体の存在が車内における突出物や窪みとはならない。
【００３８】
又、この場合には、操作ハンドル２と対応するインストルメントパネルＰ側に指を差し入れる操作空間３１が存在することとなると共に、ロック装置自体は、グローブドアＢａ側に固定されるだけであるから、従来のように、グローブボックスＢの内側に不要に突出する部分がなくなるので、小物類の出し入れに支障をきたす心配がなくなると共に、グローブボックスＢの内部スペースを有効に利用することが可能となる。
【００３９】
そして、実際の使用に際して、グローブボックスＢがロック位置に拘束されている場合には、図８に示す如く、ロック体３が、収納室８内において圧縮コイルばね４のばね圧でロック体３の先端部と受け壁９の間でストライカ３２と係合して、グローブボックスＢが開放方向へ移動することを阻止することとなるが、他方、リンク部材５の先端部５ｂは捻じりコイルばね６でケース１の上方に付勢され、レバー部材７の先端部７ｂもロック体３の係合部１９に当接したまま圧縮コイルばね４のばね圧でケース１の上方に付勢されているので、この状態では、各部材５・７は、ロック解除に関しては何ら作用していない。又、この状態では、操作ハンドル２の作動爪１７が反時計方向に付勢されたリンク部材５の連結孔２１に係合しているので、操作ハンドル２が不用意にガタツク心配もない。更に、圧縮コイルばね４によって付勢されたロック体３とケース１が協働して、囲繞された空間を構成し、挿通孔３６を介してインストルメントパネルＰ側に設けられたストライカ３２をその空間内に拘束させることで、ケース１をネジ止めしたグローブドアＢａがインストルメントパネルＰにロックされる。
【００４０】
逆に、グローブボックスＢのロック位置での拘束を解除する場合には、インストルメントパネルＰ側に画成された操作空間３１に指を差し入れて、操作ハンドル２を上から下へと回動操作すると、図９に示す如く、これに応じて、操作ハンドル２側の連結孔２１に係合している作動爪１７の作用で、リンク部材５が付勢方向とは逆の時計方向に回動して、その先端部５ｂでレバー部材７の先端部７ｂを圧縮コイルばね４のばね圧に抗してケース１の下方に押圧するので、これと連動して、レバー部材７の先端部７ｂがロック体３の係合部１９を押圧して、ケース１の収納室８内でロック体３を下降させる。従って、これにより、ロック体３はストライカ３２との係合を解くので、グローブボックスＢは、ロック解除位置に移動することが許容されることとなる。
【００４１】
又、操作ハンドル２をインストルメントパネルＰからグローブボックスＢ側に回動すると、その回動力が三者摺接部を介してロック体３に伝達され、ロック体３が下降することにより、ロック体３とケース１によって囲繞された空間にストライカ３２が通過できる開口が発生するので、ケース１をネジ止めしたグローブドアＢａが回動可能となってロックが解除される。その状態で、グローブドアＢａを開方向に回動すると、グローブボックスＢが開状態となり、グローブボックスＢへ小物類を出し入れすることが可能となる。
【００４２】
開状態のグローブボックスＢにおいて、グローブドアＢａを閉方向に回動すると、ストライカ３２が挿通口３６を通過してロック体３の斜面３ａと当接するが、更に、回動すると、ストライカ３２がロック体３の斜面３ａを押圧することで、ロック体３の摺動方向に分力が発生し、その分力によって、ロック体３が押し下げられて、ロック体３とケース１で囲繞された空間に開口が発生する。この開口を通ってストライカ３２が空間内に進入し、グローブドアＢａが回動してグローブボックスＢを閉状態となし、ストライカ３２とロック体３の当接が解除されるので、ロック体３が圧縮コイルばね４によって押し上げられて、ストライカ３２を囲繞した状態でロック体３とケース１が閉じた空間を形成するので、これにより、グローブドアＢａが再度インストルメントパネルＰ側に拘束されてロックされる。
【００４３】
又、操作ハンドル２を操作する場合には、操作ハンドル２の裏面に安全板１８が形成されているので、操作ハンドル２の裏面側に配置された部品で怪我をする心配がなくなると共に、安全板１８で当該部品を隠蔽できるので、見栄えも向上する。更に、本実施例にあっては、操作ハンドル２の回動支点の外側に形成される作動爪１７がリンク部材５の回動支点の外側に形成された連結孔２１に係合する関係で、操作ハンドル２の操作角度が鈍感となって、ロック体３の移動量が小さくなると共に、作動爪１７とロック体３の距離を大きくできるので、操作力も小さくなる。
【００４４】
尚、捻じりコイルばね６は、図示しないが、リンク部材５の先端部５ｂの下面とケース１との間に設置される圧縮コイルばねであっても、リンク部材５の基板５ａの端部とケース１の上部との間に設置される引張コイルばねであっても構わないので、本発明では、圧縮コイルばね４を第１付勢部材、捻じりコイルばね６を第２付勢部材と称する。又、本実施例に係るロック装置は、グローブドアＢａの端縁に設ければ、グローブドアＢａの上端縁に限られるものではなく、グローブドアＢａの側端縁や下端縁に設けても構わない。更に、ロック体３は、インストルメントパネルＰに設けられたストライカ３２と拘束してグローブドアＢａをロックする状態とするだけではなく、それが拘束する相手は、インストルメントパネルＰに設けられる孔であっても、インストルメントパネルＰの一部であっても構わない。又、本実施例に係るロック装置は、ケース１の円筒壁１０と第３軸１４をロック体３の摺動軸に対して、どちらの側に配置しても構わないので、これらが上述した配置位置と逆の場合、リンク部材５は、捻じりコイルばね６によって常時時計方向に付勢されることとなる。従って、リンク部材５の先端部５ｂは、ロック体３が常時付勢されている側に付勢されると言える。
【００４５】
尚、上記実施例にあっては、キーシリンダ錠を有しないロック装置に応用したものであるが、本発明は、これに限定されるものではなく、キーシリンダ錠を有するロック装置としても兼用できるものである。この場合、キーシリンダ錠３４は、リンク部材５とレバー部材７が摺接状態となる位置と、両者５・７が非摺接状態となる位置とを選択する選択手段であり、キーシリンダ錠３４に挿入したキーを回転させることにより、レバー部材７は、既述したように、図１２の実線で示した位置まで横方向に移動するので、レバー部材７の先端部７ｂの上面とリンク部材５の先端部５ｂの下面が遠くに離れて非摺接状態となる。この状態で、操作ハンドル２をインストルメントパネルＰ側からグローブボックスＢ側に回動すると、その回動力は、リンク部材５を回動させるだけで、レバー部材７を回動させえないので、ロック体３も動かない。所謂、鍵をかけた状態となり、グローブボックスＢを開状態にすることができないので、グローブボックスＢ内にある小物類を盗難等から保護することができる。
【００４６】
キーシリンダ錠３４にキーを再度挿入して逆方向に回転させることにより、レバー部材７は、図１２の二点鎖線で示した位置まで移動するので、レバー部材７の先端部７ｂの上面とリンク部材５の先端部５ａの下面が摺接状態となる。この状態で、操作ハンドル２をインストルメントパネルＰ側からグローブボックスＢ側に回動すると、その回動力は、上述したように、リンク部材５とレバー部材７を回動させ、ロック体３を下降させてロック状態を解除するので、グローブボックスＢを開状態とすることができる。従って、キーシリンダ錠３４によって、リンク部材５とレバー部材７を非摺接状態から摺接状態に切り替えることができるので、鍵を開けた状態に戻すことが可能となる。
【００４７】
即ち、具体的には、図１０・図１１に示す如く、操作ハンドル２にケース１の円筒壁１０と連通する開口３３を形成する一方、円筒壁１０の底面を第２軸１２と一緒に取り除いて、当該開口３３からキーシリンダ錠３４を円筒壁１０内に装着して、キーシリンダ錠３４の後端面に設けられている偏心軸３５を第２軸１２として利用する構成となせば、直ちに、キーシリンダ錠３４を有するロック装置としても兼用できることとなる。又、この時には、キーシリンダ錠３４の偏心軸３５がレバー部材７の回動支点と作用点の間で連結される関係で、レバー部材７が回動する時のガイドを兼ねられるので、円滑な動作が保障できる。
【００４８】
この場合にも、グローブボックスＢのロック及びロック解除に関しては、基本的には、前記したキーシリンダ錠３４を有しないロック装置と同様であるが、異なるところは、キーシリンダ錠３４の偏心軸３５を第２軸１２として利用した関係で、当該偏心軸３５をレバー部材７の第２嵌入孔２７に嵌入して、キーシリンダ錠３４をロックすると、その偏心軸３５が回転して、レバー部材７を回動させながらケース１の横方向にスライドさせるので、これにより、図１２に示す如く、既述したリンク部材５の先端部下面２２がレバー部材７の厚肉壁２８の上面から離れて、非摺接状態に切り替わるので、例え、この状態で、操作ハンドル２を誤って回動操作したとしても、リンク部材５の回動力がレバー部材７には伝わらないので、操作ハンドル２が空振りするだけで、ロック解除が不能となる。
【００４９】
又、この場合には、レバー部材７をケース１の表側から裏側にかけて配置する構成とすることにより、円筒壁１０やキーシリンダ錠３４をケース１の裏側に寄せて配置できるので、ロック装置全体を薄くすることが可能となる。
【産業上の利用可能性】
【００５０】
本発明に係るロック装置は、収納体の内側に不要に突出する部分がなくなるので、小物類の出し入れに支障をきたす心配がなくなると共に、収納体の内部スペースを有効に利用することが可能となって、自動車のインストルメントパネルに開閉可能に取り付けられるグローブボックスそれ自体又はその独立したドアをロックするロック装置としては、頗る好都合なものとなる。
【図面の簡単な説明】
【００５１】
【図１】本発明の実施例に係るロック装置を裏側から示す分解斜視図である。
【図２】（Ａ）はケースを表側から示す斜視図、（Ｂ）は図２ＡのＡ−Ａ線断面図である。
【図３】（Ａ）はロック体を表側から示す斜視図、（Ｂ）は図３ＡのＢ−Ｂ線断面図である。
【図４】（Ａ）はリンク部材を表側から示す斜視図、（Ｂ）は図４ＡのＣ−Ｃ線断面図である。
【図５】（Ａ）はレバー部材を表側から示す斜視図、（Ｂ）は図５ＡのＤ−Ｄ線断面図である。
【図６】（Ａ）は組み立てられたロック装置を表側から示す斜視図、（Ｂ）は同裏側から示す斜視図である。
【図７】ロック装置をグローブドアの上端縁にネジ止めした状態を示す説明図である。
【図８】グローブボックスのロック状態を一部切欠して示す説明図である。
【図９】グローブボックスのロック解除状態を一部切欠して示す説明図である。
【図１０】キーシリンダ錠を有するロック装置に応用した状態を表側から示す要部斜視図である。
【図１１】キーシリンダ錠を有するロック装置に応用した状態を裏側から示す要部斜視図である。
【図１２】（Ａ）はリンク部材の先端部下面がレバー部材の厚肉壁の上面から離れた状態を示す要部斜視図、（Ｂ）は同平面図である。
【図１３】インストルメントパネルとグローブボックスなどの関係を示す要部斜視図である。
【符号の説明】
【００５２】
１    ケース
２    操作ハンドル
３    ロック体
３ａ  斜面
４    圧縮コイルばね（第１付勢部材）
５    リンク部材
５ａ  基板
５ｂ  先端部
６    捻じりコイルばね（第２付勢部材）
７    レバー部材
７ａ  基板
７ｂ  先端部
８    収納室
９    受け壁
１０  円筒壁
１１  第１軸
１２  第２軸
１３  軸部
１４  第３軸
１５  開放口
１６  軸受部
１７  作動爪
１８  安全板
１９  係合部
２０  第３嵌入孔
２１  連結孔
２２  先端部下面
２３  ガイド片
２４  ガイドピン
２５  弾性片
２６  第１嵌入孔
２７  第２嵌入孔
２８  厚肉壁
２９  薄肉壁
３０  プッシュオンフィックス
３１  操作空間
３２  ストライカ
３３  開口
３４  キーシリンダ錠
３５  偏心軸
３６  挿通口
Ｐ    インストルメントパネル（支持体）
Ｂ    グローブボックス（収納体）
Ｂａ  グローブドア（ドア）
【図１】
2005009301.tif 000003
【図２】
2005009301.tif 000004
【図３】
2005009301.tif 000005
【図４】
2005009301.tif 000006
【図５】
2005009301.tif 000007
【図６】
2005009301.tif 000008
【図７】
2005009301.tif 000009
【図８】
2005009301.tif 000010
【図９】
2005009301.tif 000011
【図１０】
2005009301.tif 000012
【図１１】
2005009301.tif 000013
【図１２】
2005009301.tif 000014
【図１３】
2005009301.tif 000015